(57)【要約】      （修正有）【課題】保持対象物の大きさの制限が緩和された卓上スタンドおよびその展開物を提供する。【解決手段】シート状の弾性材料による背面部１１、前面部１２及び基部１３がこの順で連続する。背面部と前面部とは第１の内折り線２１で連続し、前面部と基部とは第１の内折り線に平行な第２の内折り線２２で連続する。背面部は、第１の内折り線に対向する端２３を起点とし間隔を有して第１の内折り線に向け途中まで延びた一対のスタンド用切断線２４と、起点近傍でスタンド用切断線の間に設けられた第１の連結部２５と、を有する。前面部は、第２の内折り線に沿って延び両端で第１の内折り線側に曲がり第１の内折り線への途中まで延びたカード保持用切断線２６を有する。基部は、第２の内折り線に対向する端２７に、第１の連結部に連結可能な第２の連結部２９を有する。【選択図】図１
0003178972.tif 000002
【実用新案登録請求の範囲】
【請求項１】
弾性を有するシート状の材料で形成されて背面部、前面部および基部がこの順で連続する、卓上スタンド組み立て用展開物であって、
前記背面部と前記前面部とが第１の内折り線により連続し、
前記前面部と前記基部とが前記第１の内折り線に平行な第２の内折り線により連続しており、
前記背面部は、
前記第１の内折り線に対向する端を起点とし互いに間隔を有して前記第１の内折り線に向けて途中まで延びその両側が切り離された一対のスタンド用切断線と、
前記起点近傍において前記一対のスタンド用切断線の間に設けられた第１の連結部と、を有し、
前記前面部は、
前記第２の内折り線に沿って延び、延びた両端で前記第１の内折り線側に曲がって第１の内折り線に向けて途中まで延びた、その両側が切り離されたカード保持用切断線を有し、
前記基部は、前記第２の内折り線に対向する端に前記第１の連結部に連結可能な第２の連結部を有する
ことを特徴とする卓上スタンド組み立て用展開物。
【請求項２】
前記第１の内折り線により２つ折りされた前記背面部および前記前面部が、前記一対のスタンド用切断線により挟まれた部分を除く前記カード保持用切断線よりも前記第１の内折り線側の部分で接合されており、
前記第１の連結部が、前記第２の内折り線により前記背面部側に折り曲げられた前記基部における第２の連結部に連結されて形成された
請求項１に記載された卓上スタンド組み立て用展開物による卓上スタンド。
【請求項３】
弾性を有するシート状の材料で形成されて背面部、前面部、間隙形成部および基部がこの順で連続する、卓上スタンド組み立て用展開物であって、
前記背面部と前記前面部とが第１の内折り線により連続し、
前記前面部と前記間隙形成部とが前記第１の内折り線に平行な外折り線により連続し、
前記間隙形成部と前記基部とが前記外折り線に平行な第２の内折り線により連続しており、
前記背面部は、
前記第１の内折り線に対向する端を起点とし互いに間隔を有して前記第１の内折り線に向けて途中まで延びその両側が切り離された一対のスタンド用切断線と、
前記起点近傍において前記一対のスタンド用切断線の間に設けられた第１の連結部と、を有し、
前記間隙形成部は、
前記第２の内折り線に直交する方向の寸法が、前記第１の内折り線と前記外折り線との距離以下であって、前記第２の内折り線よりも前記外折り線に近い位置に前記外折り線に平行な第３の内折り線を有し、
前記基部は、前記第２の内折り線に対向する端に前記第１の連結部に連結可能な第２の連結部を有する
ことを特徴とする卓上スタンド組み立て用展開物。
【請求項４】
前記背面部および前記前面部が前記第１の内折り線により２つ折りされて前記間隙形成部が前記外折り線により前記背面部の反対側に折り曲げられた状態で、前記背面部における前記一対のスタンド用切断線により挟まれる部分を除く部分、並びに前記外折り線近傍の前記前面部および前記間隙形成部が一体化され、
前記間隙形成部がこれを二分する前記第３の内折り線により前記前面部の反対側で折り重ねられ前記基部が前記第２の内折り線により前記背面部側に回り込んだ状態で、前記第１の連結部が前記第２の連結部に連結されて形成された
請求項３に記載された卓上スタンド組み立て用展開物による卓上スタンド。
【考案の詳細な説明】
【技術分野】
【０００１】
本考案は、月別カード型カレンダー、写真、絵はがき等を保持する卓上スタンドに関する。
【背景技術】
【０００２】
例えば月別のカレンダーカードを保持する卓上スタンドとして、折り目に従って折り曲げられた複数の厚紙のパーツを組み合わせて組み立てるもの、折り目に従って１枚の厚紙を折り曲げて組み立てるものが提案されている（特許文献１，２）。
【先行技術文献】
【特許文献】
【０００３】
【特許文献１】特開２００１−２６０５６８号公報
【特許文献１】特開２００１−２６０５６６号公報
【考案の概要】
【考案が解決しようとする課題】
【０００４】
卓上カレンダーは、多くの場合、非売品として販売促進目的で配布され、１年が経過するとスタンドとともに廃棄される。特許文献１，２で提案された卓上カレンダーは、紙のみで構成され、可燃ごみとしてまたは古紙としてリサイクルが可能な点で優れている。
しかし、特許文献１，２に提案された卓上スタンドは、これに保持される月別カレンダーカード専用のものである。例えば、特許文献１で提案された卓上スタンドは、月別カレンダーカードの４辺が、窓のいずれの辺よりも大きいことが求められる。また、特許文献２で提案された卓上スタンドは、月別カレンダーカードの高さが、支持手段として形成された切り込みの距離よりも大きいことが必要である。特許文献１，２に提案された卓上スタンドは、これらと組み合わせてに配布されるカレンダーカード専用のものであり、これと異なる大きさの記念写真、絵はがき等を保持する卓上スタンドとして使用するには問題がある。
【０００５】
本考案は、上述の問題に鑑みてなされたもので、保持対象物の大きさの制限が緩和された卓上スタンドおよびその展開物を提供することを目的とする。
【課題を解決するための手段】
【０００６】
本考案に係る卓上スタンド組み立て用展開物は、弾性を有するシート状の材料で形成されて背面部、前面部および基部がこの順で連続する。卓上スタンド組み立て用展開物は、背面部と前面部とが第１の内折り線により連続し、前面部と基部とが第１の内折り線に平行な第２の内折り線により連続している。
背面部は、第１の内折り線に対向する端を起点とし互いに間隔を有して第１の内折り線に向けて途中まで延びその両側が切り離された一対のスタンド用切断線と、起点近傍において一対のスタンド用切断線の間に設けられた第１の連結部と、を有する。
【０００７】
前面部は、第２の内折り線に沿って延び、延びた両端で第１の内折り線側に曲がって第１の内折り線に向けて途中まで延びた、その両側が切り離されたカード保持用切断線を有する。
基部は、第２の内折り線に対向する端に、第１の連結部に連結可能な第２の連結部を有する。
【０００８】
本考案に係る卓上スタンドは、上述した卓上スタンド組み立て用展開物を使用して組み立てられたものである。卓上スタンドは、第１の内折り線により２つ折りされた背面部および前面部が、一対のスタンド用切断線により挟まれた部分を除くカード保持用切断線よりも第１の内折り線側の部分で、接着剤等により接合されている。
卓上スタンドは、第１の連結部が、第２の内折り線により背面部側に折り曲げられた基部における第２の連結部に連結されて、自立可能に形成されている。
【０００９】
本考案に係る他の卓上スタンド組み立て用展開物は、弾性を有するシート状の材料で形成されて背面部、前面部、間隙形成部および基部がこの順で連続する。この卓上スタンド組み立て用展開物は、背面部と前面部とが第１の内折り線により連続し、前面部と間隙形成部とが第１の内折り線に平行な外折り線により連続し、間隙形成部と基部とが外折り線に平行な第２の内折り線により連続している。
【００１０】
背面部は、第１の内折り線に対向する端を起点とし互いに間隔を有して第１の内折り線に向けて途中まで延びその両側が切り離された一対のスタンド用切断線と、起点近傍において一対のスタンド用切断線の間に設けられた第１の連結部と、を有する。
間隙形成部は、第２の内折り線に直交する方向の寸法が、第１の内折り線と外折り線との距離以下であって、第２の内折り線よりも外折り線に近い位置に外折り線に平行な第３の内折り線を有する。
【００１１】
基部は、第２の内折り線に対向する端に第１の連結部に連結可能な第２の連結部を有する。
本考案に係る他の卓上スタンドは、上述した他の卓上スタンド組み立て用展開物を使用して組み立てられたものである。
他の卓上スタンドは、背面部および前面部が第１の内折り線により２つ折りされて間隙形成部が外折り線により背面部の反対側に折り曲げられた状態で、背面部における一対のスタンド用切断線により挟まれる部分を除く部分、並びに外折り線近傍の前面部および間隙形成部が一体化されている。
【００１２】
他の卓上スタンドは、間隙形成部がこれを二分する第３の内折り線により前面部の反対側で折り重ねられ基部が第２の内折り線により背面部側に回り込んだ状態で、第１の連結部が第２の連結部に連結されて、自立可能に形成されている。
【考案の効果】
【００１３】
本考案は、保持対象物の大きさの制限が緩和された卓上スタンドおよびその展開物を提供することができる。
【図面の簡単な説明】
【００１４】
【図１】図１は卓上スタンドの展開物の概略図である。
【図２】図２は展開物の組み立て途中の図である。
【図３】図３は卓上スタンドの外観図である。
【図４】図４は月別カレンダーを保持する卓上スタンドの外観図である。
【図５】図５は他の卓上スタンドを背面部側から見た斜視図である。
【図６】図６は折りたたまれた図５の卓上スタンドの側面図である。
【図７】図７は他の卓上スタンドの展開物の概略図である。
【図８】図８は図７の卓上スタンドの展開物の組み立て途中の図である。
【図９】図９は図７の卓上スタンドの外観図である。
【図１０】図１０は他の卓上スタンドの前面部側から見た斜視図である。
【考案を実施するための形態】
【００１５】
図１は卓上スタンド１の展開物２の概略図、図２は展開物２の組み立て途中の図、図３は卓上スタンド１の外観図、図４は月別カレンダーを保持する卓上スタンド１の外観図である。図１（ａ）は卓上スタンド１における内側から展開物２を見た図、図１（ｂ）は図１（ａ）のＡ−Ａ矢視断面図である。
図１に示される展開物２は、所定の手順で組み立てることにより、図３に示される卓上スタンド１となる。
【００１６】
展開物２は、厚手の紙で形成される。紙の厚さは、卓上スタンド１の大きさにより異なるが、０．８〜１．２ｍｍのものが通常は使用される。
展開物２は、全体として矩形であり、その長手方向の一方の側から他方の側に向けて並ぶ、背面部１１、前面部１２および基部１３からなる。背面部１１および前面部１２は、展開物２の長手方向に直交する内折り線２１で連続し、前面部１２および基部１３は、展開物２の長手方向に直交する内折り線２２で連続する。
【００１７】
以下、卓上スタンド１に組み立てるときにその両側が内側となる方向に折り曲げられる折り線を内折り線という。また、「長手方向」という場合には、矩形である展開物２の短辺および長辺が位置する方向に関わらず、背面部１１、前面部１２および基部１３が並ぶ方向をいうものとする。また、「幅方向」は、展開物２の厚み方向および長手方向に直交する方向をいうものとする。
【００１８】
内折り線２１は、外面側から展開物２の厚さの半分が切断されたハーフカットである。内折り線２２は、外面側にスジ入れ加工された山折りの折り線である。なお、「外面」とは卓上スタンド１において外側となる面、「内面」とは卓上スタンド１において内側となる面である。
背面部１１は、内折り線２１を１辺とする矩形である。背面部１１には、内折り線２１に平行な長手方向の端（矩形の一辺）２３から内折り線２１に向けて途中まで伸びる、２つの切断線２４，２４が設けられている。切断線２４は、その両側が不連続になるように切り離された線である。切断線２４，２４は、長手方向の端２３から内折り線２１に向けて徐々にその間隔が狭くなっている。「長手方向の端２３」を「一方端２３」といい、切断線２４を「スタンド用切断線２４」という。以下、「切断線」というときは、その両側が切り離された線をいう。
【００１９】
スタンド用切断線２４における内折り線２１側の端から一方端２３までの距離Ｄ１は、内折り線２１から一方端２３までの距離Ｄ２の７０〜８５％に設計される。
背面部１１は、一方端２３近くに、厚さ方向に貫通し一方端２３に沿って長い矩形断面を有する保持孔２５を備える。保持孔２５は、２つのスタンド用切断線２４，２４の間に、これらから等間隔となるように設けられている。
【００２０】
前面部１２は、内折り線２１および内折り線２２を対向する２辺とする矩形である。長手方向における前面部１２の寸法は、背面部１１における同方向の寸法よりも僅かに大きい。前面部１２には、内折り線２２の近くで内折り線２２に平行に伸び、前面部１２の形状である矩形における他の２辺近傍で内折り線２１側に直角に折れてしばらく伸びた、切断線２６を備える。切断線２６を「カード保持用切断線２６」という。
【００２１】
カード保持用切断線２６と内折り線２２との距離は、通常は、１０ｍｍ以上であって、長手方向における前面部１２の寸法の１５％以上が採用される。この距離の基準となる内折り線２２の位置は、外面側に入れられたスジの中央である。長手方向に延びたカード保持用切断線２６と長手方向に延びた前面部１２の端との距離Ｄ６は、通常８〜１５ｍｍが採用される。
【００２２】
基部１３は、内折り線２２を１辺とする矩形である。長手方向における基部１３の寸法Ｄ３は、スタンド用切断線２４における内折り線２１側の端から一方端２３までの距離Ｄ１の６５〜７５％に設計される。
内折り線２２に平行な基部１３の端２７（以下「他方端２７」という）には、矩形の切り欠き２８が２つ設けられている。幅方向に並ぶ２つの切り欠き２８，２８は、幅方向における基部１３の端から等間隔の位置に設けられる。２つの切り欠き２８，２８に挟まれて長手方向の外方に突出する矩形の部分を、挿入部２９という。挿入部２９の幅（幅方向の寸法）Ｗ１は、背面部１１における保持孔２５の幅Ｗ２よりわずかに小さい。幅方向における切り欠き２８の寸法（長さ）Ｗ３は、背面部１１における保持孔２５とスタンド用切断線２４との最大距離Ｗ４よりも大きい。
【００２３】
展開物２は、次のようにして卓上スタンド１に組み立てられる。
初めに、背面部１１の内面におけるスタンド用切断線２４から幅方向の外方であって内折り線２１側の部分（図１においてＰ１〜Ｐ４で囲まれた部分、実際にはスタンド用切断線２４直近を避けた網掛け部分が好ましい。幅方向両側の２箇所）に接着剤（糊）が塗布される。
【００２４】
背面部１１は、内折り線２１から内面側に折り曲げられて前面部１２に重ねられ、これらは、幅方向両側の接着剤が塗布された部分で接着される（図２参照）。
背面部１１と前面部１２との接着が安定すると、２つのスタンド用切断線２４，２４で区分された部分（「スタンド部３１」という）の一方端２３側が前面部１２から遠ざけられる。基部１３が内折り線２２から内面側に折り曲げられ、基部１３の挿入部２９が背面部１１の保持孔２５に差し入れられて、卓上スタンド１が形成される（図３（ａ）参照）。
【００２５】
卓上スタンド１は、側面視において略三角形となり（図４（ｂ））、基部１３を下にして机等に置かれることにより自立する。また、卓上スタンド１は、基部１３の挿入部２９が保持孔２５に保持されること、および材料の弾性によって、スタンド部３１の一方端２３側が前面部１２から遠ざけられた状態を維持することができる。
これ（挿入部２９が保持孔２５に保持されること）に伴い、前面部１２における、「コ」字状のカード保持用切断線２６で囲まれ内折り線２２側に連続しない部分３３は、背面部１１に接着された（前面部１２の）部分とともに、前面部１２から離れたスタンド部３１の一方端２３側に引き寄せられる。一方、前面部１２における、カード保持用切断線２６と長手方向に延びる両端との間の限られた幅の部分３２，３２は、内折り線２２に連続するので、スタンド部３１の一方端２３側への移動が阻止される。この、カード保持用切断線２６で囲まれた部分３３とこの幅方向両側の部分３２，３２との一方端２３側への移動の有無により、卓上スタンド１は、上方から見たときに、カード保持用切断線２６を挟む両側間に、ずれ（隙間）Ｏｐが生ずる。
【００２６】
図４を参照して、卓上スタンド１は、カード保持用切断線２６を挟む両側間に生じた隙間ＯｐにカードＣｄが差し入れられることより、カードＣｄを保持する。差し入れられるカードＣｄは、月別のカレンダーのように複数枚が重ね合わされたものでも、ポートレート写真のように１枚のものであってもよい。厚みが大きなカードＣｄの保持を可能とする卓上スタンド１では、長手方向における背面部１１、前面部１２の長さに比べて基部１３の長さを大きくし、これによってカード保持用切断線２６により生ずる隙間Ｏｐを大きくする。
【００２７】
卓上スタンド１は、前面部１２における、カード保持用切断線２６で切断された両側で形成される隙間Ｏｐに差し入れることができる幅であば、保持するカードＣｄの高さに対する制限が緩和される。卓上スタンド１は、例えば、カード保持用切断線２６の幅（幅方向の寸法）Ｗ５よりも幅が小さな縦長の全身写真を保持することができる。
図５は他の卓上スタンド１Ｂを背面部１１Ｂ側から見た斜視図、図６は折りたたまれた卓上スタンド１Ｂの側面図である。
【００２８】
卓上スタンド１Ｂは、背面部１１Ｂの形態が卓上スタンド１における背面部１１と異なる。
背面部１１Ｂは、一方端２３から内折り線２１に向けて徐々にその間隔が狭くなった一対のスタンド用切断線２４Ｂ，２４Ｂが２組設けられ、スタンド用切断線２４Ｂ，２４Ｂで区分される２つのスタンド部３１Ｂ，３１Ｂは、一方端２３側において連結されている。それぞれのスタンド部３１Ｂには、一方端２３近くに、厚さ方向に貫通し一方端２３に沿って長い矩形断面を有する保持孔２５が設けられている。
【００２９】
基部１３Ｂは、他方端２７における２つの保持孔２５，２５に対応する位置に、それぞれ外方に矩形状に突出する挿入部２９，２９を有する。「保持孔２５に対応する位置」とは、上述した卓上スタンド１と同じ手順で卓上スタンド１Ｂに組み立てるとき、それぞれの挿入部２９を互いに異なる一方の保持孔２５に差し入れることができる位置をいう。具体的には、卓上スタンド１（の展開物）において、一方の保持孔２５におけるこれに近い側の長手方向に延びる端からの距離をＤ４、これに差し入れられる挿入部２９におけるこれに近い側の長手方向に延びる端からの距離をＤ５とすると、Ｄ４がＤ５よりわずかに小さく、挿入部２９の幅Ｗ１は、背面部１１Ｂにおける保持孔２５の幅Ｗ２よりわずかに小さい。
【００３０】
背面部１１Ｂには、それぞれのスタンド部３１Ｂの内折り線２１側近傍に、互いに異なる一方のスタンド用切断線２４Ｂ，２４Ｂに略平行に伸びた２つの切断線４３Ｂ，４３Ｂが、内折り線２１側で切断線４４Ｂによりつながれて略「Ｕ」字状となったクリップ用切断線４１Ｂが設けられている。クリップ用切断線４１Ｂは、単に切断した線ではなく、１〜２ｍｍの幅を有する切断線である。クリップ用切断線４１Ｂで囲まれた部分をクリップ部４２Ｂという。
【００３１】
なお、図５に符合２４Ｂを付した部分は、厳密には展開物におけるスタンド用切断線によって卓上スタンド１Ｂのスタンド部３１Ｂに生ずる端縁であるが、卓上スタンド１Ｂにおけるこの端縁をスタンド用切断線に見立て、クリップ用切断線４１Ｂの形態等を説明した。
一対のクリップ部４２Ｂ，４２Ｂは、幅方向両側のスタンド部３１Ｂの他の部分との間に写真、絵はがき等のカードＣｄを保持するためのものである（図５、図６参照）。
【００３２】
クリップ用切断線４１Ｂは、スタンド用切断線２４Ｂ，２４Ｂの内折り線２１側の起点ＰＳ近くに設けられる。
好ましくは、クリップ用切断線４１Ｂは、スタンド用切断線２４Ｂ，２４Ｂに略平行に伸びた２つの部分４３Ｂ，４３Ｂのほとんどが、スタンド用切断線２４Ｂ，２４Ｂの内折り線２１側の起点ＰＳよりも一方端２３側に、２つの部分４３Ｂ，４３Ｂを内折り線２１側でつなぐ部分４４Ｂが起点ＰＳよりも内折り線２１側に設けられる。このようにクリップ用切断線４１Ｂの各部分４３Ｂ，４３Ｂ，４４Ｂを配することにより、１度組み立てられた卓上スタンド１Ｂを折りたたんだとき、クリップ部４２Ｂの内折り線２１が反り返り、クリップ部４２Ｂと他のスタンド部３１Ｂとの間にカードＣｄの差し入れが容易となる。
【００３３】
図５におけるＰ１〜Ｐ４で囲まれた部分が、展開物を組み立てる過程で、背面部１１Ｂと前面部１２とが接着剤等により接合される。
卓上スタンド１Ｂ（の展開物）には、卓上スタンド１におけるものと同じカード保持用切断線２６が設けられており、上方から見たときには、カード保持用切断線２６を挟む両側間に、カードＣｄを差し入れることができるずれ（隙間）を生じさせる。
【００３４】
卓上スタンド１Ｂ（の展開物）における上述した以外の構成は、卓上スタンド１におけるものと同一であり、図５および図６において卓上スタンド１におけるものと同一の符合を付し、その説明を省略する。
卓上スタンド１Ｂは、カード保持用切断線２６の幅（幅方向の寸法）よりも幅が小さな、任意の高さのカードＣｄを保持することができる。
【００３５】
図７は他の卓上スタンド１Ｃの展開物２Ｃの概略図、図８は展開物２Ｃの組み立て途中の図、図９は卓上スタンド１Ｃの外観図である。図７において（ａ）は卓上スタンド１Ｃにおける内側から展開物２Ｃを見た図、（ｂ）は（ａ）のＢ−Ｂ矢視断面図、図８（ｂ）はクリップ４６Ｃの四面図である。
卓上スタンド１Ｃの展開物２Ｃは、全体として矩形であり、その長手方向の一方の側から他方の側に向けて並ぶ、背面部１１、前面部１２Ｃ、間隙形成部１４Ｃおよび基部１３からなる。背面部１１と前面部１２Ｃとは、展開物２Ｃの長手方向に直交する内折り線２１で連続し、前面部１２Ｃと間隙形成部１４Ｃとは内折り線２１に平行な外折り線３５Ｃで連続し、間隙形成部１４Ｃと基部１３とは外折り線３５Ｃに平行な内折り線２２で連続する。
【００３６】
外折り線３５Ｃは、内折り線２１，２２とは反対側、つまり卓上スタンド１Ｃに組み立てるときにその両側が外側となる方向に折り曲げられる、内面側にスジ入れ加工された山折りの折り線である。
背面部１１および基部１３は、それぞれの矩形形状の長辺短辺の長さの比を除き卓上スタンド１（展開物２）におけるものと同じである。また、展開物２Ｃにおいて卓上スタンド１の展開物２、卓上スタンド１Ｂの展開物のいずれかまたはいずれとも同じ構成の部分については、図７〜図９においてこれらにおけると同じ符合を付し、その説明を省略する。
【００３７】
前面部１２Ｃは、切断線等を有しない単純な矩形である。
間隙形成部１４Ｃは、長手方向が短辺の矩形である。間隙形成部１４Ｃは、長手方向の中央から少し外折り線３５Ｃ側の位置に、外折り線３５Ｃに平行な内折り線３６Ｃを有する。内折り線３６Ｃは、外面側から展開物２Ｃの厚さの半分が切断されたハーフカットである。外折り線３５Ｃと内折り線３６Ｃとの距離は１０ｍｍ以上であり、１５ｍｍ以上が好ましい。長手方向における間隙形成部１４Ｃの寸法（外折り線３５Ｃと内折り線２２との距離）は、同方向における前面部１２Ｃの寸法（内折り線２１と外折り線３５Ｃとの距離）以下とするのが好ましい。
【００３８】
展開物２は、次のようにして卓上スタンド１Ｃに組み立てられる。
背面部１１が内折り線２１から内側に折り曲げられて、前面部１２Ｃに重ねられる。間隙形成部１４Ｃが、外折り線３５Ｃにより外側に折り曲げられる。この段階で、背面部１１，前面部１２Ｃおよび間隙形成部１４Ｃの３つが、外折り線３５Ｃ側で重なり合う。この３つの重なり合いにおける幅方向の両端近傍を、外折り線３５Ｃ側からクリップ４６Ｃ，４６Ｃにより一体化する。「幅方向」とは、展開物２において説明した通り、展開物２Ｃの長手方向に直交する方向である。クリップ４６Ｃにより一体化される位置は、スタンド用切断線２４よりも幅方向端側であり、スタンド部３１は、スタンド用切断線２４，２４により背面部１１の他の部分と分離可能である。
【００３９】
図８（ｂ）における（ｂ１）はクリップ４６Ｃの正面図、（ｂ２）は平面図、（ｂ３），（ｂ４）はそれぞれ左面図、右側面図である。図８（ｂ）を参照して、クリップ４６Ｃは、帯状の金属の板材がその長手方向の途中で「Ｕ」字状に折り曲げられたものである。折り曲げられて対向する２つの部分には、クリップ４６Ｃの長手方向に直交して延びた押圧部４７Ｃ，４７Ｃが設けられている。２つの押圧部４７Ｃ，４７Ｃは、折り曲げ部分から等距離であり、対向する。クリップ４６Ｃは、鉄またはステンレスで製作される。クリップ４６Ｃは、塩化ビニル樹脂等の合成樹脂で製作することができる。
【００４０】
クリップ４６Ｃは、重なる一方端２３および外折り線３５Ｃをその「Ｕ」字状の内側に収めて、展開物２Ｃに取り付けられる。
外折り線３５Ｃによる二つ折りの状態がクリップ４６Ｃで固定されて重なる前面部１２Ｃと間隙形成部１４Ｃとは、密着しないでこれらの間に略１ｍｍの隙間Ｏｐが形成される。
【００４１】
続いて、間隙形成部１４Ｃは、内折り線３６Ｃにより内側に２つ折りされ、さらに基部１３が、内折り線２２から内側に折り曲げられる。
基部１３は、一方端２３および外折り線３５Ｃの直近を経由して背面部１１側に回り込む。スタンド部３１が一方端２３側で前面部１２Ｃから遠ざけられ、スタンド部３１の保持孔２５に、スタンド部３１の挿入部２９が差し入れられる。スタンド部３１には、材料の弾性により前面部１２Ｃ側に戻ろうとする力が生ずるので、挿入部２９は保持孔２５内に安定に保持される（図９参照）。
【００４２】
卓上スタンド１Ｃは、卓上スタンド１，１Ｂと同様に側面視において略三角形となり、基部１３を下にして机等に置かれることにより自立する。卓上スタンド１Ｃは、前面部１２Ｃの下方における前面部１２Ｃと間隙形成部１４Ｃとの隙間Ｏｐに、１枚または複数枚のカードＣｄを保持することができる。
卓上スタンド１Ｃは、保持するカードＣｄの幅を制限しない。つまり、卓上スタンド１Ｃは、その幅（幅方向の寸法）以上の幅を有するカードＣｄを、前面部１２Ｃと間隙形成部１４Ｃとによる間隙Ｏｐに保持することができる。また、卓上スタンド１Ｃは、長手方向における前面部１２Ｃの長さ以上の長さ（高さ）を有するカードＣｄを保持することができる。
【００４３】
卓上スタンド１Ｃは、そのスタンド部３１を卓上スタンド１Ｂにおけるように２つ設けることができ、それぞれのスタンド部に卓上スタンド１Ｂにおけるようなクリップ部４２Ｂを形成することができる。
図１０は他の卓上スタンド１Ｄの前面部１２Ｄ側斜視図である。
卓上スタンド１Ｄは、その展開物における前面部１２Ｄに、２つのカード保持用切断線２６Ｄａ，２６Ｄｂが設けられている点で、卓上スタンド１Ｂと異なる。
【００４４】
２つのカード保持用切断線２６Ｄａ，２６Ｄｂは、いずれも内折り線２２の近くで内折り線２２に平行に伸び、両端で内折り線２１側に直角に折れてしばらく伸びる「コ」字状である点で、卓上スタンド１，１Ｂにおけるカード保持用切断線２６と同じである。２つのカード保持用切断線２６Ｄａ，２６Ｄｂは、内折り線２２に平行に伸びた部分の長さが異なる。カード保持用切断線２６Ｄａ，２６Ｄｂは、展開物において、一方の内折り線２２に平行に伸びた切断線が他方の内折り線２２に平行に伸びた切断線の延長に一致する。２つのカード保持用切断線２６Ｄａ，２６Ｄｂは、展開物の幅方向に間隔をおいて設けられる。
【００４５】
卓上スタンド１Ｄにおける上述した構成以外の構成は、卓上スタンド１Ｂにおけるものと同じである。
卓上スタンド１Ｄは、幅が異なる２種類のカードを保持することができる。
卓上スタンド１，１Ｂ，１Ｃ，１Ｄは、保持するカードＣｄとは別に、前面部１２，１２Ｃ，１２Ｄに写真、絵等を直接固定することができる。例えば、カード保持用切断線２６を幅方向の一方側に偏って設け、他方側に東京スカイツリーの絵または写真を貼り付ける等である。
【００４６】
上述した卓上スタンド１，１Ｂ，１Ｄにおいて、背面部１１と前面部１２，１２Ｄとの接合を、接着剤でなくステープラ、両面テープ等の他の方法により行ってもよい。
卓上スタンド１，１Ｂ，１Ｃ，１Ｄは、背面部１１，１１Ｂにおける保持孔２５を基部１３，１３Ｂの他方端２７近傍に設け、基部１３，１３Ｂにおける挿入部２９を背面部１１，１１Ｂの一方端２３に設けてもよい。このようにしても、卓上スタンド１，１Ｂ，１Ｃ，１Ｄと同様に、スタンド部３１，３１Ｂと基部１３，１３Ｂとを連結することができる。
【００４７】
卓上スタンド１，１Ｂ，１Ｃ，１Ｄにおける一対のスタンド用切断線２４，２４、２４Ｂ，２４Ｂは、一方端２３から内折り線２１に向けて徐々にその間隔が狭くなっている形態のほか、平行、または内折り線２１に向けて徐々にその間隔が広くなる形態等、種々のものを採用することができる。
卓上スタンド１，１Ｂ，１Ｃ，１Ｄの材料として、厚紙以外の、弾性を有するシート状の合成樹脂等を使用することができる。その他、卓上スタンド１，１Ｂ，１Ｃ，１Ｄ、および卓上スタンド１，１Ｂ，１Ｃ，１Ｄの各構成または全体の構造、形状、寸法、個数、材質などは、本考案の趣旨に沿って適宜変更することができる。
【産業上の利用可能性】
【００４８】
本考案は、月別カード型カレンダー、写真、絵はがき等を保持する卓上スタンドに利用することができる。
【符号の説明】
【００４９】
１，１Ｂ，１Ｃ，１Ｄ  卓上スタンド
２，２Ｃ  展開物
１１，１１Ｂ  背面部
１２，１２Ｃ，１２Ｄ  前面部
１３，１３Ｂ  基部
１４Ｃ  間隙形成部
２１  内折り線（第１の内折り線）
２２  内折り線（第２の内折り線）
２３  一方端（第１の内折り線に対向する端）
２４，２４Ｂ  切断線、スタンド用切断線
２５  保持孔（第１の連結部および第２の連結部の一方）
２６，２６Ｄａ，２６Ｄｂ  切断線、カード保持用切断線
２７  他方端（第２の内折り線に対向する端）
２９  挿入部（第１の連結部および第２の連結部の他方）
３５Ｃ  外折り線
３６Ｃ  内折り線（第３の内折り線）
【図１】
0003178972.tif 000003
【図２】
0003178972.tif 000004
【図３】
0003178972.tif 000005
【図５】
0003178972.tif 000006
【図６】
0003178972.tif 000007
【図７】
0003178972.tif 000008
【図８】
0003178972.tif 000009
【図１０】
0003178972.tif 000010
【図４】
0003178972.tif 000011
【図９】
0003178972.tif 000012